(57)【特許請求の範囲】
【請求項１】
躯体側の枠材にパネル体を支持する支持具を、枠材に対向するパネル体の支持受け部を支持する一端側の支持軸部と螺子溝が刻設された他端側の螺子軸部とこれら軸部の間の鍔部とを備えた支軸と、前記支軸の螺子軸部が軸方向に移動自在、かつ、回り止め状に貫通し、さらに、鍔部が係止して抜け止めされる支軸貫通孔と枠材に固定される枠材固定部とを備えた支持プレートとにより構成する一方、枠材に螺子軸部より大径な位置調整軸孔を形成し、支持プレートの支軸貫通孔を貫通した螺子軸部を枠材の位置調整軸孔に貫通し、該位置調整軸孔から突出する螺子軸部をナットで緊締するとともに、支持プレートの枠材固定部を枠材に固定する構成としたパネル体の支持構造。
【請求項２】
支持具は、支持プレートと支軸の鍔部との間にスペーサを介装することでパネル体の高さ方向の調整ができるように構成されている請求項１に記載のパネル体の支持構造。
【請求項３】
支持具は、支持軸部がパネル体の支持受け部を相対回転自在に支持する構成とし、パネル体を開閉揺動自在に支持するように構成されている請求項１または２に記載のパネル体の支持構造。
【請求項４】
躯体側の枠材にパネル体を支持する支持具を、枠材に対向するパネル体の支持受け部を支持する一端側の支持軸部と螺子溝が刻設された他端側の螺子軸部とこれら軸部の間の鍔部とを備えた支軸と、前記支軸の螺子軸部が軸方向の移動自在、かつ、回り止め状に貫通し、さらに、鍔部が係止して抜け止めされる支軸貫通孔と枠材に固定される枠材固定部とを備えた支持プレートとにより構成する一方、枠材に螺子軸部より大径な位置調整軸孔を形成し、支持プレートの支軸貫通孔を貫通した螺子軸部を枠材の位置調整軸孔に貫通する第一工程と、該位置調整軸孔から突出する螺子軸部をナットで緊締するとともに、支持プレートの枠材固定部を枠材に固定する第二工程とにより支持するように構成したパネル体の支持方法。
【請求項５】
パネル体は、第一工程と第二工程との間の工程で支軸の支持軸部に支持されるように構成されている請求項４に記載のパネル体の支持方法。
【発明の詳細な説明】
【技術分野】
【０００１】
本発明は、ビルやマンション等の建築物の躯体に設けられるパネル体の支持構造およびパネル体の支持方法の技術分野に属するものである。
【背景技術】
【０００２】
一般に、パネル体を躯体側の枠材に支持する構成、例えば、ドア体等を構成するパネル体を躯体に開閉揺動自在に設ける場合では、躯体に予め固定される枠材にピボットヒンジを設け、該ピボットヒンジに、ドア体側に設けた軸承部を回転自在に支持する構成とすることが提唱されている。ところで、ドア体と枠材との間には隙間が形成され、ドア体は、枠材に対して左右方向、前後方向の位置決め（ドア体と枠材との間のチリ調整）を精度よく調整した状態で取付けることが要求される。これに対し、前記ピボットヒンジを用いてドア体を設ける場合、ピボットヒンジの取付け位置に基づいてドア体の取付け位置、即ち、枠材に対するドア体の位置が決定されるため、ドア体の位置調整をするには、ピボットヒンジをドア体に仮固定し、該ピボットヒンジにドア体を仮組込みしてドア体の位置確認をし、その後、ドア体を取外してピボットヒンジを固定するという作業が必要となる。しかも、熟練した技術がなく、一回の位置調整で精度よく組込むことができない場合には、前記作業を複数回繰り返さなければならないこともあって、作業性に劣るという問題がある
【０００３】
この改善策として、ピボットヒンジを、枠材側に固定され、左右方向（間口方向）に長い長孔が形成されたプレート部（水平面部）と、一端にドア体が軸承され、前記長孔に長孔方向移動自在に貫通する揺動軸とで構成し、前記揺動軸の長孔貫通先端部をナット緊締することにより、揺動軸とプレート部との一体化がなされる構成とし、これによって、ドア体が支持された状態のままで揺動軸を長孔内において変位させることにより、ドア体の位置調整ができるようにしたものが提唱されている。
【特許文献１】実開平７−３２１６０号公報
【発明の開示】
【発明が解決しようとする課題】
【０００４】
ところが、前記従来のものは、プレート部は予め枠材側に固定される構成であり、ドア体の位置調整において、プレート部の長孔方向（左右方向）の位置調整については可能であるが、前後方向（奥行き方向）の位置調整が必要な場合では、ドア体、プレート部とを取外して、プレート部の枠材に対する固定位置を調整しなければならないという問題がある。
また、前記従来のものにおいて、揺動軸は、鍔部の周回り方向一箇所に形成された突部をプレート部の長孔近傍に設けた複数の凹部のうちの一つに選択的に係合することで回り止めがなされる構成となっているが、ナットの緊締時や、ドア体の開閉揺動時に生じる回転方向の負荷が前記凸部と凹部との係合部に集中して作用するため、これらの負荷により揺動軸にガタつきが生じたり、係合部の脱落が発生することが考えられるうえ、ドア体の開閉作動を継続する過程でナットが緩むことも考えられて問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体側の枠材にパネル体を支持する支持具を、枠材に対向するパネル体の支持受け部を支持する一端側の支持軸部と螺子溝が刻設された他端側の螺子軸部とこれら軸部の間の鍔部とを備えた支軸と、前記支軸の螺子軸部が軸方向に移動自在、かつ、回り止め状に貫通し、さらに、鍔部が係止して抜け止めされる支軸貫通孔と枠材に固定される枠材固定部とを備えた支持プレートとにより構成する一方、枠材に螺子軸部より大径な位置調整軸孔を形成し、支持プレートの支軸貫通孔を貫通した螺子軸部を枠材の位置調整軸孔に貫通し、該位置調整軸孔から突出する螺子軸部をナットで緊締するとともに、支持プレートの枠材固定部を枠材に固定する構成としたパネル体の支持構造である。
請求項２の発明は、支持具は、支持プレートと支軸の鍔部との間にスペーサを介装することでパネル体の高さ方向の調整ができるように構成されている請求項１に記載のパネル体の支持構造である。
請求項３の発明は、支持具は、支持軸部がパネル体の支持受け部を相対回転自在に支持する構成とし、パネル体を開閉揺動自在に支持するように構成されている請求項１または２に記載のパネル体の支持構造である。
請求項４の発明は、躯体側の枠材にパネル体を支持する支持具を、枠材に対向するパネル体の支持受け部を支持する一端側の支持軸部と螺子溝が刻設された他端側の螺子軸部とこれら軸部の間の鍔部とを備えた支軸と、前記支軸の螺子軸部が軸方向の移動自在、かつ、回り止め状に貫通し、さらに、鍔部が係止して抜け止めされる支軸貫通孔と枠材に固定される枠材固定部とを備えた支持プレートとにより構成する一方、枠材に螺子軸部より大径な位置調整軸孔を形成し、支持プレートの支軸貫通孔を貫通した螺子軸部を枠材の位置調整軸孔に貫通する第一工程と、該位置調整軸孔から突出する螺子軸部をナットで緊締するとともに、支持プレートの枠材固定部を枠材に固定する第二工程とにより支持するように構成したパネル体の支持方法である。
請求項５の発明は、パネル体は、第一工程と第二工程との間の工程で支軸の支持軸部に支持されるように構成されている請求項４に記載のパネル体の支持方法。
【発明の効果】
【０００６】
請求項１、４の発明とすることにより、支持具にパネル体を組込んだ状態で前後、左右の位置調整をし、該位置調整後に支持具を枠材に固定することができて、パネル体を精度よく位置調整した状態で簡単、かつ、容易に支持することができる。
請求項２の発明とすることにより、高さ方向の位置調整も可能となる。
請求項３の発明とすることにより、支持具は、パネル体を揺動自在な状態、嵌め殺し状態の何れの支持状態にも対応できる。
請求項５の発明とすることにより、作業性の向上を図ることができる。
【発明を実施するための最良の形態】
【０００７】
つぎに、本発明の実施の形態について、図面に基づいて説明する。
図面において、１はマンションの玄関口を構成するＬ字型の側壁部を利用して構成されるメータボックスであって、該メータボックス１の一方の側面は一対の開閉自在な第一、第二戸体２、３（本発明のパネル体に相当する）を備えて構成され、他方の側面は開閉自在な第三戸体４（本発明のパネル体に相当する）を備えて構成され、さらに、第二戸体３と第三戸体４との間のコーナー部には、Ｌ字形に形成されたＬ字型パネル体５を嵌め殺し状に配設されている。そして、これら第一、第二、第三戸体２、３、４およびＬ字型パネル体５の上下端部は、それぞれ上側ピボットヒンジ６と、本発明が実施された支持具に相当する下側ピボットヒンジＰＨとを用いることにより、躯体側に固定されている上下枠材７、８に支持されている。
【０００８】
前記第一、第二戸体２、３のうち、第二戸体３は、通常は閉鎖状態を保持できるが、必要において第一戸体２とともに観音開き状に屋外側に向けて開閉揺動できるように設けられており、第三戸体４は屋外側に向けて開閉揺動自在に設けられるように構成されている。これら第一、第二、第三戸体２、３、４は、それぞれ金属製板材の四周縁部をそれぞれ９０度の角度を存して二回折返すように折曲加工することにより、四周に所定の厚さ（戸厚）Ｈ１を有した上下端面２ａ、２ｂ、３ａ、３ｂ、４ａ、４ｂ、左右（前後）端面２ｃ、２ｄ、３ｃ、３ｄ、４ｃ、４ｄがそれぞれ形成されたものに構成されている。尚、２ｅ、３ｅ、４ｅはそれぞれ第一、第二、第三戸体２、３、４の屋内側面（メータボックス内側面）に上下方向長尺状に設けられた補強材である。
一方、Ｌ字型パネル体５は、前記各戸体２、３、４と同様に金属製板材を用いて構成されており、９０度の角度を存したコーナー部を折曲形成するとともに、第一、第二、第三戸体２、３、４と同様に周縁部を適宜折返し折曲加工することにより所定の厚さ（戸厚）Ｈ２を有した上端面５ａ、左端面５ｂ、後端面５ｃが形成されたものに構成されている。さらに、Ｌ字型パネル体５の下端部は、外部側からメータボックスをみたとき、下枠材８を覆蓋するように延出部５ｄが形成されており、このため、下端面５ｅは、別途切断された金属製板材を接着等の一体化手段により一体化することにより構成されている。
【０００９】
そして、これら第一、第二、第三戸体２、３、４、Ｌ字型パネル体５とは、それぞれ上下枠材７、８に支持される部位（支持部）に位置して上下側スペーサブロック９、１０が一体的（螺子止め、接着等）に設けられている。
前記上側スペーサブロック９には、上側ピボットヒンジ６がそれぞれ設けられているが、前記上側ピボットヒンジ６は、上側スペーサブロック９に固定される筒状のケース体６ａに上側支軸６ｂが上下方向の移動は自在であるが、周回り方向の回転は規制される状態で貫通しており、付勢弾機６ｃにより上方に向けて付勢される構成となっている。そして、上側支軸６ｂには、第一、第二、第三戸体２、３、４、Ｌ字型パネル体５の内側面に突出する操作摘み６ｄが設けられており、該操作摘み６ｄを付勢弾機６ｃに抗して下動することにより、上側支軸６ｂを各上端面２ａ、３ａ、４ａ、５ａから上方に突出する姿勢から退避する姿勢（面一状の姿勢）に変姿させることができるように構成されている。
一方、前記各下側スペーサブロック１０には、下側ピボットヒンジＰＨの支持を受けるための支持受けブロック１１（本発明のパネル体の支持受け部に相当する）がそれぞれ固定されているが、これら支持受けブロック１１には、後述する下側ピボットヒンジＰＨの支軸１２が相対回転自在に嵌合するべく、下方が開口する嵌合凹部（本発明の支持受け部）１１ａが形成されており、該嵌合凹部１１ａに連通する状態で各第一、第二、第三戸体２、３、４、Ｌ字型パネル体５の下端面２ｂ、３ｂ、４ｂ、５ｅに貫通孔２ｆ、３ｆ、４ｆ、５ｆがそれぞれ開設されている。
【００１０】
前記下側ピボットヒンジＰＨは、支軸１２と支持プレート１３とを備えて構成されており、前記支軸１２は、前記支持受けブロック１１の嵌合凹部１１ａに嵌合することにより各第一、第二、第三戸体２、３、４、Ｌ字型パネル体５を支持する支持軸部１２ａが上端部に形成され、下端部には螺子溝が刻設された螺子軸部１２ｂが形成されたものに構成されている。さらに、支軸１２は、支持軸部１２ａと螺子軸部１２ｂとのあいだに位置し、外径側に延出する状態で鍔部１２ｃが形成されている。また、支軸１２の螺子軸部１２ｂは、外周面に径方向に対向する面取り部１２ｄが形成されている。
【００１１】
また、前記支持プレート１３は長方形状の金属製板材で形成されており、長尺方向一方の端部に、支軸１２の螺子軸部１２ｂが貫通する支軸貫通孔１３ａが開設されている。前記支軸貫通孔１３ａは、鍔部１２ｃが当接することで支軸１２を抜止めする一方、螺子軸部１２ｂの形状に対応して真円形状の内周面に径方向に対向する直線部１３ｂが形成されており、支軸１２の螺子軸部１２ｂが上下方向（軸芯方向）の移動は自在であるが、周回り方向の移動は規制される（回り止め）状態で貫通するように構成されている。さらに、支持プレート１３の他方の端部に、支持プレート１３を下枠材８に固定するための枠材固定部として一対の貫通孔１３ｃが形成されている。
【００１２】
一方、上枠材７は金属製長尺材をコ字形に折曲して形成されたものが、メータボックス１の二側面一帯にＬ字状に設けられており、第一、第二、第三戸体２、３、４、Ｌ字型パネル体５の支持部に位置して上枠材スペーサブロック１４が固定され、該上枠材スペーサブロック１４に支持される状態で上枠支持受けブロック１５が固定されている。前記上枠支持受けブロック１５には、下方が開口し、上側ピボットヒンジ６の上側支軸６ｂが相対回転自在に嵌合する嵌合凹部１５ａが形成されている。
また、下枠材８は上枠材７と同様に金属製長尺材をコ字形に折曲して構成されているが、該下枠材８の上側片８ａには、第一、第二、第三戸体２、３、４、Ｌ字型パネル体５の支持部に位置して、前記下側ピボットヒンジＰＨの支軸１２（螺子軸部１２ｂ）よりも大径となる位置調整軸孔８ｂが開設されている。
尚、７ａは上枠材７に所定間隙を存して設けられる補強板材であり、７ｂは第一、第二、第三戸体２、３、４の戸当たり、８ｃは下枠材８に所定間隙を存して設けられる補強板材である。
【００１３】
そして、各第一、第二、第三戸体２、３、４、Ｌ字型パネル体５は、それぞれ一枚づつ上下枠材７、８に組込まれることになるが、これらの組込み手順は、それぞれ同様であるので、第一戸体２の組込み手順について説明し、他の説明は省略する。
予め下側ピボットヒンジＰＨを、支持プレート１３の支軸貫通孔１３ａに支軸１２の螺子軸部１２を貫通させ、鍔部１２ｃにより支軸貫通孔１３ａから抜止めされる状態とするが、このとき、下側ピボットヒンジＰＨは、前述したように、支軸１２が支持プレート１３に対して上下方向の移動は可能であるが、相対回転はできない状態となっている。続いて、前記状態に組込まれたピボットヒンジＰＨの支持プレート１３の下方に突出する螺子軸部１２ｂを、下枠材８の位置調整軸孔８ｂに貫通させるとともに、支持プレート１３を下枠材８の上側片８ａに積層させる。そして、下側ピボットヒンジＰＨの支持プレート１３から上方に突出する支持軸部１２ａに第一戸体２に組込まれた支持受けブロック１１の嵌合凹部１１ａを嵌合させ、第一戸体２の下端面２ｂを支軸鍔部１２ｃに当接させて支軸１２による支持状態とする。この状態では、第一戸体２が支持された支軸１２が、鍔部１２ｃ、支持プレート１３を介して下枠材８に支持された状態となり、この下枠材８による支持状態において、第一戸体２の上側ピボットヒンジ６の操作摘み６ｄを下動させて上側支軸６ｂを退避させ、前記支軸１２を支点として第一戸体２の上端面２ａを上枠７に対向せしめ、操作摘み６ｄの下動操作を解除して上側支軸６ｂを上枠支持受けブロック１５の嵌合凹部１５ａに対向させることにより、付勢弾機６ｃの付勢力に基づいて上側支軸６ｂが嵌合凹部１５ａに嵌合し、第一戸体２の上下枠材７、８への仮保持状の組込みがなされる。
【００１４】
この第一戸体２の仮保持状態において、第一戸体２の位置調整をすることになるが、該位置調整は、螺子軸部１２ｂよりも大径の下枠材８の位置調整軸孔８ｂ内において、螺子軸部１２ｂを支持プレート１３とともに変位させることにより、前後方向及び左右方向の位置調整ができるように構成されている。また、上下方向の位置調整は、第一戸体２を支軸１２（鍔部１２ｃ）とともに支持プレート１３に対して上動せしめ、支軸鍔部１２ｃと支持プレート１３との間に適宜高さ（厚さ）に形成されたリング状の第一、第二、第三スペーサ１６、１７、１８を選択的に介装することで位置調整できるように構成されている。これによって、第一戸体２の前後、左右、高さ方向の各位置調整は、第一戸体２を上下枠材７、８からいちいち取外すことなく、上下側ピボットヒンジ６、ＰＨに支持させた状態のまま行うことができるように構成されている。さらに、このとき、高さ調整の第一、第二、第三スペーサ１６、１７、１８は支軸鍔部１２ｃと支持プレート１３との間に介装されるので、第一戸体２と支軸１２との嵌合深さ、つまり、支持軸部１２ａの支持受けブロック１１の嵌合凹部１１ａへの嵌合量（嵌合深さ）が一定となって、前記嵌合深さが浅くなって外れやすくなるような不具合を回避できるように構成されている。
ここで、前記第一、第二、第三スペーサ１６、１７、１８は、それぞれ螺子軸部１２ｂに対する着脱が容易になるように切欠き孔１６ａ、１７ａ、１８ａが形成されており、これらを適宜組合せることにより、所望の高さ調整を行うことが可能となる。尚、図６（Ａ）、（Ｂ）には、それぞれ異なる高さ調整がなされた状態を説明する第一、第二、第三戸体２、３、４が示されている。
【００１５】
そして、前後方向、左右方向、上下方向の位置調整をして、第一戸体２の位置決めが完了した状態において、螺子軸部１２ｂの下枠材上側片８ａから下方に突出する貫通端部にナット１９を緊締するとともに、支持プレート１３の一対の貫通孔１３ｃを介して螺子１３ｄを下枠材上側片８ａに螺着することにより、下側ピボットヒンジＰＨが下枠材８に対して位置決めされた状態で一体化されるように構成されている。このとき、螺子軸部１２ｂは、支持プレート１３に対して回り止め状に貫通していることから、螺子軸部１２ｂを保持することなくナット１９の緊締ができるうえ、第一戸体２が開閉作動するときの支軸１２に作用する回転負荷を、螺子軸部１２ｂの外周部となる面取り部１２ｄにおいて受けることができて、支軸１２にガタつきが生じることがなく、ナット１９が経時変化で緩んでしまうような不具合を防止できるように構成されている。
【００１６】
また、Ｌ字型パネル体５についても、前記第一戸体２と同様の組み込み手順により上下枠材７、８に組込むことができるが、この場合では、上下側ピボットヒンジ６、ＰＨの各支軸６ｂ、１２は、各支持受けブロック１５、１１の嵌合凹部１５ａ、１１ａに対して相対回転することはなく、この場合では、上下側ピボットヒンジ６、ＰＨがそれぞれ軸承部材としてではなく支持部材として機能するように構成されている。このように構成することにより、メータボックス１の構成部材である第一、第二、第三戸体２、３、４およびＬ字型パネル体５を、同様の支持具、つまり上側ピボットヒンジ６と下側ピボットヒンジＰＨとを用いることにより、上下枠材７、８に組込むことができて、部品の種類を削減することができて、作業性よく組み付けることができるように構成されている。
【００１７】
叙述の如く構成された本形態において、躯体に設けられた上下枠材７、８に対し、第一、第二、第三戸体２、３、４そしてＬ字型パネル体５とを組込んでメータボックス１を構成する場合に、第一、第二、第三戸体２、３、４、Ｌ字型パネル体５は、それぞれ上下側ピボットヒンジ６、ＰＨを用いて上下枠材７、８に組込まれている。この場合に、下側ピボットヒンジＰＨは、支軸１２と、該支軸１２が上下方向の移動は許容されるが、周回り方向の移動は規制される状態で貫通する支持プレート１３とにより構成されており、支持軸部１２ａに第一、第二、第三戸体２、３、４、Ｌ字型パネル体５を支持した状態で、螺子軸部１２ｂを下枠材８の大径な位置調整軸孔８ｂに貫通させ、該位置調整軸孔８ｂ内において支持プレート１３を移動させ、第一、第二、第三戸体２、３、４、Ｌ字型パネル体５の前後方向および左右方向の位置調整をした後、支持プレート１３を下枠材８に固定させることができる。この結果、第一、第二、第三戸体２、３、４そしてＬ字型パネル体５を下側ピボットヒンジＰＨに組込んだままの状態で、前後方向と左右方向との両方向における位置調整ができることになって、第一、第二、第三戸体２、３、４そしてＬ字型パネル体５を、熟練した作業を必要とすることなく、精度よく位置調整した状態で、簡単、しかも、容易に支持作業を行うことができる。
【００１８】
このように、本発明が実施された下側ピボットヒンジＰＨを用いることで、該下側ピボットヒンジＰＨに第一、第二、第三戸体２、３、４そしてＬ字型パネル体５を仮保持し、下側ピボットヒンジＰＨを下枠材８に固定する前の段階で前後方向、そして、左右方向の位置調整ができるものであるが、このものでは、支持軸部１２ａと螺子軸部１２ｂとの間の鍔部１２ｃと、支持プレート１３との間に第一、第二、第三スペーサ１６、１７、１８を適宜介装することにより、上下方向の高さ調整ができるばかりでなく、該高さ調整を行ったときに、支持軸部１２ａの第一、第二、第三戸体２、３、４そしてＬ字型パネル体５（支持受けブロック１１）との係合量が変わってしまうことがなく、確実な支持状態を維持することができる。
【００１９】
そのうえ、このものでは、上下側ピボットヒンジ６、ＰＨは、第一、第二、第三戸体２、３、４を支持するときのように、各支軸６ｂ、１２が第一、第二、第三戸体２、３、４に対して相対回転自在（開閉揺動自在）に支持することも可能であるし、Ｌ字型パネル体５を支持するときのように、相対回転しない状態（はめ殺し状）で支持することも可能となって、両者が設けられるメータボックス１の構成部材（第一、第二、第三戸体２、３、４そしてＬ字型パネル体５）を同様の支持具で支持することができて、部品種類を削減することができて、作業性の向上を図れる。
【００２０】
しかも、予めピボットヒンジＰＨを下枠材８に積層させた状態で第一、第二、第三戸体２、３、４、Ｌ字型パネル体５をピボットヒンジＰＨに組込む構成としたので、組込み工程における各パネル体２、３、４、５の荷重を下枠材８により受けることができて、作業性が向上する。
【００２１】
尚、本発明は前記実施の形態に限定されないことは勿論であって、支持具を上側の支持具として用いることも可能であり、さらには、上下側の支持具とすることもできる。
【図面の簡単な説明】
【００２２】
【図１】図１（Ａ）、（Ｂ）はそれぞれメータボックスを外観視したときの正面図、側面図であり、図１（Ｃ）、（Ｄ）はそれぞれメータボックスを内観視したときの正面図、側面図である。
【図２】メータボックスの一部を切欠いた平面断面図である。
【図３】図３（Ａ）、（Ｂ）はそれぞれ一部を切欠いた第一、第二、第三戸体の側面断面図、Ｌ字型パネル体の側面断面図である。
【図４】図４（Ａ）、（Ｂ）、（Ｃ）はそれぞれ支軸の正面図、側面図、底面図であり、図４（Ｄ）、（Ｅ）は支持プレートの平面図、正面図であり、図４（Ｆ）は下側ピボットヒンジの斜視図である。
【図５】図５（Ａ）、（Ｂ）は上側ピボットヒンジの側面図、正面図であり、図５（Ｃ）、（Ｄ）、（Ｅ）、（Ｆ）、（Ｇ）、（Ｈ）はそれぞれ第一、第二、第三スペーサの正面図、平面図である。
【図６】図６（Ａ）、（Ｂ）は第一、第二、第三戸体の高さ調整状態を説明する側面断面図、背面図である。
【符号の説明】
【００２３】
１    メータボックス
２    第一戸体
２ｂ    下端面
５    Ｌ字型パネル体
６    上側ピボットヒンジ
７    上枠材
８    下枠材
８ｂ    位置調整軸孔
１１    支持受けブロック
１２    支軸
１２ａ    支持軸部
１２ｂ    螺子軸部
１２ｃ    鍔部
１２ｄ    面取り部
１３    支持プレート
１３ａ    支軸貫通孔
１３ｃ    貫通孔
ＰＨ    下側ピボットヒンジ
【図１】
0004926095.tif 000002
【図２】
0004926095.tif 000003
【図３】
0004926095.tif 000004
【図４】
0004926095.tif 000005
【図５】
0004926095.tif 000006
【図６】
0004926095.tif 000007